(57)【要約】【課題】構造簡易で、パネル同士の連結を簡便に行うことができるパネルの回転連結部材とパネル連結体を提供する。【解決手段】パネル１は、間隔を置いて平行に配置した表，裏面部と、これら表，裏面部を連結し、パネル１の横方向に間隔を置いて配置した複数の縦リブ部３，３・・・とを備え、前記中空のパネル１，１同士を回転可能に連結するパネル１の回転連結部材において、一方及び他方のパネル１，１の開口部４に挿入して連結する一方及び他方の挿入部14，14と、これら一方及び他方の挿入部14，14同士を回動可能に連結した回動連結部17とを備えるから、一方及び他方のパネル１，１の開口部４，４に、一方及び他方の挿入部14，14を挿入することにより、回動連結部17によってパネル１，１同士が回動可能に連結される。【選択図】図３
0003180934.tif 000002
【実用新案登録請求の範囲】
【請求項１】
端部に開口部を有する別体をなす中空のパネル同士を回転可能に連結するパネルの回転連結部材において、一方及び他方の前記パネルの前記開口部に挿入して連結する一方及び他方の挿入部と、これら一方及び他方の挿入部同士を回動可能に連結した回動連結部とを備えることを特徴とするパネルの回転連結部材。
【請求項２】
前記パネルは、間隔を置いて平行に配置した表，裏面部と、これら表，裏面部を連結し、パネルの横方向に間隔を置いて配置した複数の縦リブ部とを備え、前記表，裏面部と隣り合う前記縦リブ部との間に前記開口部が形成され、前記パネルには複数の前記開口部が並設されていることを特徴とする請求項１記載のパネルの回転連結部材。
【請求項３】
複数の前記開口部に対応して硬質材料からなる同一形状の前記挿入部を複数備え、これら複数の挿入部を、硬質材料からなる基部に一体に設け、複数の前記挿入部が複数の前記開口部に圧入固定可能なことを特徴とする請求項２記載のパネルの回転連結部材。
【請求項４】
前記挿入部は中空形状をなすと共に、先端に向って細くなるように形成されていることを特徴とする請求項２又は３記載のパネルの回転連結部材。
【請求項５】
前記基部は前記挿入部より前記パネルの表裏方向幅が大きく形成され、前記挿入部は前記パネルより前記パネルの表裏方向幅が小さく形成され、前記開口部に挿入部を挿入した状態で前記基部が前記開口部を塞ぐことを特徴とする請求項３記載のパネルの回転連結部材。
【請求項６】
前記回動連結部は、一方の前記基部に一方の連結筒部を間隔を置いて設け、これら一方の連結筒部の間隔に対応して、他方の前記基部に他方の連結筒部を設け、一方と他方の連結筒部に連結軸を挿入し、この連結軸を中心に一方と他方の基部を回動可能に連結してなることを特徴とする請求項３又は５記載のパネルの回転連結部材。
【請求項７】
前記パネルは合成樹脂製であり、前記パネルの厚さは１０ｍｍ以下であり、前記表，裏面部と縦リブ部の厚さが０．２ｍｍ以下であり、前記開口部は前記パネルの厚さ方向の寸法より該パネルの左右方向の寸法が大きく形成されていることを特徴とする請求項２〜６のいずれか１項に記載のパネルの回転連結部材。
【請求項８】
請求項２〜７のいずれか１項に記載の回転連結部材を備え、複数の前記パネルの前記開口部に前記回転連結部材の前記挿入部を挿入してパネル同士を連結してなることを特徴とするパネル連結体。
【考案の詳細な説明】
【技術分野】
【０００１】
本考案は、パネル同士を回動自在に連結するパネルの回転連結部材とパネル連結体に関する。
【背景技術】
【０００２】
従来、この種のものとして、剛性と光透過性と単位面積当たりのシート重量とを最適に組み合わせた押出し合成ポリマー樹脂製のシート構造体（例えば特許文献１）がある。
【０００３】
ところで、パネルを組み合わせて開閉部分を構成する場合、扉部分などにおいては、一般的に蝶番が用いられるが、上記のような軽量化を図ったパネルでは、蝶番のビス止め強度を得ることが難しいため、補強を施す必要があり、補強として化粧板などを用いたパネル（例えば特許文献２）がある。
【０００４】
一方、支承部材を接続部が設けられた基幹部の一方に屈曲部を介して支持部が連設された複数の棒体の基幹部が連結部にて横架係着されたものとし、この複数の棒体を中空パネルのリブ間に摺動可能に内設する構造として、中空パネルに連結部が可動できる開口部と折曲自在時に屈曲部が位置する部位に折曲部と切り込みが形成された中空板折曲部支承構造物（例えば特許文献３）があり、中空板折曲部支承構造物ではビス止めなどが不要になるが、前記中空パネルに支承部材を組み込む過程は、嵌合部を嵌脱させて支承部材を折り曲げた状態にして支持部を開口部よりスリット方向に差し入れ、次いで、弾性を有する先端側基幹部と後端側基幹部の各々を湾曲した状態に曲げて後端側基幹部の尖鋭部分を開口部の下方向に差し入れるため、支承部材の構造が複雑でコストが掛かり、また、パネルの上下は折曲部により連結されているため、狭いスリットから支承部材を上下に挿入するように組み込む作業に手間が掛かるという問題がある。
【０００５】
特に、支承部材の材質は、各々の部分の必要とする強度やヒンジ特性、弾性等に応じて適宜選択でき、ポリプロピレン等の合成樹脂や合成ゴムを用いるため、実際には、弾性を有する支承部材を、狭い開口部にパネルのほぼ全長に渡って挿入することが極めて困難なことが予想される。
【先行技術文献】
【特許文献】
【０００６】
【特許文献１】特表２００１−５２１０８５号公報
【特許文献２】特開２０１０−１０６４９７号公報
【特許文献３】特開平９−３２７８７５号公報
【考案の開示】
【考案が解決しようとする課題】
【０００７】
そこで、本考案は、上記問題点を解決するものであり、構造簡易で、パネル同士の連結を簡便に行うことができるパネルの回転連結部材とパネル連結体を提供することを目的とする。
【課題を解決するための手段】
【０００８】
請求項１の考案は、端部に開口部を有する別体をなす中空のパネル同士を回転可能に連結するパネルの回転連結部材において、一方及び他方の前記パネルの前記開口部に挿入して連結する一方及び他方の挿入部と、これら一方及び他方の挿入部同士を回動可能に連結した回動連結部とを備えることを特徴とする。
【０００９】
請求項２の考案は、前記パネルは、間隔を置いて平行に配置した表，裏面部と、これら表，裏面部を連結し、パネルの横方向に間隔を置いて配置した複数の縦リブ部とを備え、前記表，裏面部と隣り合う前記縦リブ部との間に前記開口部が形成され、前記パネルには複数の前記開口部が並設されていることを特徴とする。
【００１０】
請求項３の考案は、複数の前記開口部に対応して硬質材料からなる同一形状の前記挿入部を複数備え、これら複数の挿入部を、硬質材料からなる基部に一体に設け、複数の前記挿入部が複数の前記開口部に圧入固定可能なことを特徴とする。
【００１１】
請求項４の考案は、前記挿入部は中空形状をなすと共に、先端に向って細くなるように形成されていることを特徴とする。
【００１２】
請求項５の考案は、前記基部は前記挿入部より前記パネルの表裏方向幅が大きく形成され、前記挿入部は前記パネルより前記パネルの表裏方向幅が小さく形成され、前記開口部に挿入部を挿入した状態で前記基部が前記開口部を塞ぐことを特徴とする。
【００１３】
請求項６の考案は、前記回動連結部は、一方の前記基部に一方の連結筒部を間隔を置いて設け、これら一方の連結筒部の間隔に対応して、他方の前記基部に他方の連結筒部を設け、一方と他方の連結筒部に連結軸を挿入し、この連結軸を中心に一方と他方の基部を回動可能に連結してなることを特徴とする。
【００１４】
請求項７の考案は、前記パネルは合成樹脂製であり、前記パネルの厚さは１０ｍｍ以下であり、前記表，裏面部と縦リブ部の厚さが０．２ｍｍ以下であり、前記開口部は前記パネルの厚さ方向の寸法より該パネルの左右方向の寸法が大きく形成されていることを特徴とする。
【００１５】
請求項８の考案は、複数の前記パネルの前記開口部に前記回転連結部材の前記挿入部を挿入してパネル同士を連結してなることを特徴とする。
【考案の効果】
【００１６】
請求項１の構成によれば、一方及び他方のパネルの開口部に、一方及び他方の挿入部を挿入することにより、回動連結部によってパネル同士が回動可能に連結される。
【００１７】
請求項２の構成によれば、複数の開口部を有するパネル同士を回動自在に連結することができる。
【００１８】
請求項３の構成によれば、複数の開口部に複数の挿入部を圧入することにより、パネル同士を確実に連結することができる。
【００１９】
請求項４の構成によれば、硬質材料からなり中空形状をなす挿入部を、開口部に圧入して連結することができ、この際、挿入部は先端に向って細く形成されているため、挿入作業を容易に行うことができる。また、挿入部が中空形状をなすから軽量化を図ることができ、軽量なパネルへの使用に適したものとなる。
【００２０】
請求項５の構成によれば、開口部に挿入部を挿入して連結することにより、開口部が基部により塞がれ、開口部からの塵などの侵入を防止することができる。
【００２１】
請求項６の構成によれば、一方と他方の連結筒部に連結軸を挿入し、この連結軸を中心に一方と他方の基部を回動可能に連結することにより、パネル同士を回動自在に連結することができる。
【００２２】
請求項７の構成によれば、軽量なパネル同士を回動自在に連結することができる。
【００２３】
請求項８の構成によれば、パネル同士が回動自在に連結されたパネル連結体が得られ、各種の構造物にパネル連結体を用いることができる。
【図面の簡単な説明】
【００２４】
【図１】本考案の実施例１を示す連結部材本体の正面図である。
【図２】同上、連結部材本体の側面図である。
【図３】同上、パネルを断面にした使用状態の回転連結部材の正面図である。
【図４】同上、パネルを断面にした使用状態の回転連結部材の側面図である。
【図５】同上、パネルの斜視図である。
【図６】同上、挿入部の挿入状態を示すパネルの断面図である。
【図７】本考案の実施例２を示すパネルを断面にした使用状態の回転連結部材の側面図である。
【図８】同上、パネル連結体の断面図である。
【考案を実施するための形態】
【００２５】
本考案における好適な実施の形態について、添付図面を参照しながら詳細に説明する。なお、以下に説明する実施の形態は、実用新案登録請求の範囲に記載された本考案の内容を限定するものではない。また、以下に説明される構成の全てが、本考案の必須要件であるとは限らない。各実施例では、従来とは異なる新規なパネルの回転連結部材を採用することにより、従来にないパネルの回転連結部材が得られ、そのパネルの回転連結部材について記述する。
【実施例１】
【００２６】
以下、本考案の実施例を添付図面を参照して説明する。図１〜図６は本考案の実施例１を示し、まず、図５などに示すように、中空なパネル１は、間隔を置いて平行に配置した表，裏面部２，２と、これら表，裏面部２，２を連結し、パネル１の横方向に間隔を置いて配置した複数の縦リブ部３，３・・・とを備え、表，裏面部２，２と隣り合う縦リブ部３，３との間に開口部４が形成され、この開口部４は前記パネル１の端部の全長に設けられている。尚、パネル１は合成樹脂の押出し成型品であって、表，裏面部２，２及びリブ部３は薄板状をなし、表，裏面部２，２に対してリブ部３は直交し、開口部４は横方向に長い略長方形の形状をなす。また、パネル１は薄く、厚さは１０ｍｍ以下で、表，裏面部２，２及び縦リブ部３の厚さも０．２ｍｍ以下である。
【００２７】
回転連結部材11は、一方及び他方の連結部材本体12，12Ａを備える。これら連結部材本体12，12Ａは、略帯板状の基部13を備え、この基部13の一側面に複数の挿入部14，14・・・を間隔を置いて一体に設け、挿入部14，14・・・は同一形状をなす。また、前記基部13の他側面に連結筒部15を所定の間隔を置いて配置し、この間隔は前記連結筒部15の長さと略等しい。図６などに示すように、前記挿入部14は、長手方向側面14Ｌ，14Ｌと短手方向側面14Ｓ，14Ｓと有すると共に、内部に空洞部14Ｋを有する中空な断面長方形形状をなす。尚、前記回転連結部材11は、パネル１の開口部４と同数の挿入部14を備えるものでもよいし、パネルの開口部４より少ない数の挿入部14を備えるものでもよいし、パネル１の開口部４より少ない数の複数の挿入部14を有する回転連結部材11を形成し、この回転連結部材11を、間隔を置いてパネル１に装着してもよく、この場合は、回転連結部材11，11間の開口部４には挿入部14が挿入されず、また、基部13も位置しない。
【００２８】
一方の連結部材本体12の連結筒部15，15の間に他方の連結部材本体12Ａの連結筒部15が挿入されるようにそれぞれの連結筒部15が配置されており、一方の連結部材本体12の連結筒部15，15の間に、他方の連結部材本体12Ａの連結筒部15を挿入した状態で、複数の連結筒部15，15，15・・・の中心孔15Ａ，15Ａ，15Ａ・・・に連結軸16が挿入状態で装着される。また、連結筒部15は、基部13の幅方向一側寄りに設けられている。そして、一方及び他方の連結部材本体12，12Ａの連結筒部15及び連結軸16により、一方及び他方の挿入部14，13を回動可能に連結する回動連結部17を構成している。
【００２９】
前記挿入部14は、中空な角筒形状をなし、長さ方向中央に表裏を貫通する貫通孔21が穿設されている。また、挿入部14の先端14Ａは、表裏方向の厚さ及び幅がそれぞれ先端に向って縮小するように形成されている。
【００３０】
そして、連結筒部15を、基部13の幅方向一側寄りに設けることにより、図４に示すように、回転方向一側は、パネル１，１同士を略重ね合わせた位置まで、パネル１，１を回動することができ、回転方向他側が基部13，13が当接する位置まで、パネル１，１を回動することができる。
【００３１】
次に、前記回転連結部材11の使用方法につき説明する。まず、一方のパネル１の開口部４に一方の連結部材本体12の挿入部14を圧入して固定し、同様に他方のパネル１の開口部４に他方の連結部材本体12Ａの挿入部14を圧入して固定することにより、ビスなどを用いることなく、パネル１，１同士を簡便に連結することができ、回転連結部材11によりパネル同士を連結してパネル連結体22が構成される。そして、一方のパネル１を組立式ハウスの外壁として使用し、他方のパネル１を開閉部などに用いることができる。また、開口部４に挿入部14を挿入すると、基部13により開口部４が塞ぐことができるため、開口部４からの埃などの侵入を防止することができる。
【００３２】
このように本実施例では、請求項１に対応して、端部に開口部４を有する別体をなす中空のパネル１，１同士を回転可能に連結するパネル１の回転連結部材において、一方及び他方のパネル１，１の開口部４に挿入して連結する一方及び他方の挿入部14，14と、これら一方及び他方の挿入部14，14同士を回動可能に連結した回動連結部17とを備えるから、一方及び他方のパネル１，１の開口部４，４に、一方及び他方の挿入部14，14を挿入することにより、回動連結部17によってパネル１，１同士が回動可能に連結される。
【００３３】
また、このように本実施例では、請求項２に対応して、パネル１は、間隔を置いて平行に配置した表，裏面部２，２と、これら表，裏面部２，２を連結し、パネル１の横方向に間隔を置いて配置した複数の縦リブ部３，３・・・とを備え、表，裏面部２，２と隣り合う縦リブ部３，３・・・との間に開口部４が形成され、パネル１には複数の開口部４，４・・・が並設されているから、複数の開口部４を有するパネル１，１同士を回動自在に連結することができる。
【００３４】
また、このように本実施例では、請求項３に対応して、複数の開口部４，４・・・に対応して硬質材料からなる同一形状の挿入部14，14・・・を複数備え、これら複数の挿入部14，14・・・を、硬質材料からなる基部13に一体に設け、複数の挿入部14，14・・・が連続する複数の開口部４，４・・・に圧入固定可能であるから、複数の開口部４，４・・・に複数の挿入部14，14・・・を圧入することにより、パネル１，１同士を簡単・確実に連結することができる。
【００３５】
また、このように本実施例では、請求項４に対応して、挿入部14は中空形状をなすと共に、先端14Ａに向って細くなるように形成されているから、硬質材料からなり中空形状をなす挿入部14を、開口部４に圧入して連結することができ、この際、挿入部14は先端14Ａに向って細く形成されているため、挿入作業を容易に行うことができる。また、挿入部14が中空形状をなすから軽量化を図ることができ、軽量なパネル１，１への使用に適したものとなる。
【００３６】
また、このように本実施例では、請求項５に対応して、基部13は挿入部14よりパネル１の表裏方向幅が大きく形成され、挿入部14はパネル１よりパネル１の表裏方向幅が小さく形成され、開口部４に挿入部14を挿入した状態で基部13が開口部４を塞ぐから、開口部４に挿入部14を挿入して連結することにより、開口部４が基部13により塞がれ、開口部４からの塵などの侵入を防止することができる。
【００３７】
また、このように本実施例では、請求項６に対応して、回動連結部17は、一方の基部13に一方の連結筒部15，15を間隔を置いて設け、これら一方の連結筒部15，15の間隔に対応して、他方の基部13に他方の連結筒部15を設け、一方と他方の連結筒部15，15に連結軸16を挿入し、この連結軸16を中心に一方と他方の基部13，13を回動可能に連結してなるから、一方と他方の連結筒部15，15に連結軸16を挿入し、この連結軸16を中心に一方と他方の基部13，13を回動可能に連結することにより、パネル１，１同士を回動自在に連結することができる。
【００３８】
また、このように本実施例では、請求項７に対応して、パネル１は合成樹脂製であり、パネル１の厚さは１０ｍｍ以下であり、表，裏面部２，２と縦リブ部３の厚さが０．２ｍｍ以下であり、開口部４はパネル１の厚さ方向の寸法より該パネル１の左右方向の寸法が大きく形成されているから、軽量なパネル１，１同士を回動自在に連結することができる。
【００３９】
また、このように本実施例では、請求項８に対応して、複数のパネル１，１の開口部４，４に回転連結部材11の挿入部14，14を挿入してパネル１，１同士を連結してなるから、パネル１，１同士が回動自在に連結されたパネル連結体22が得られ、各種の構造物にパネル連結体22を用いることができる。
【実施例２】
【００４０】
図７〜図８は、本発明の実施例２を示し、上記実施例１と同一部分に同一符号を付し、その詳細な説明を省略して詳述する。この例では、３枚以上（複数）をパネル１，１・・・を、複数の回転連結部材11，11・・・により連結してパネル連結体22を形成している。具体的には、パネル１の長さ方向両側と中央に回転連結部材11を配置している。
【００４１】
また、この例では、実施例１に比べて前記基部13の長さを短く形成することにより、開口部４に連結筒部15を近づけて連結することができ、隣合うパネル１，１間の隙間を小さくすることができる。
【００４２】
このように本実施例では、上記各請求項に対応して、上記実施例１と同様な作用・効果を奏し、また、請求項８に対応して、複数のパネル１，１の開口部４，４に回転連結部材11の挿入部14，14を挿入してパネル１，１同士を連結してなるから、パネル１，１同士が回動自在に連結されたパネル連結体22が得られ、各種の構造物にパネル連結体22を用いることができる。
【００４３】
また、実施例上の効果として、前記基部13の長さを短く形成することにより、隣合うパネル１，１間の隙間を小さくすることができる。
【００４４】
尚、本考案は、本実施例に限定されるものではなく、本考案の要旨の範囲内で種々の変形実施が可能である。例えば、実施例では、開口部に対応して挿入部を設けたが、２つの開口部の一方にのみ挿入するように挿入部を配置してもよく、すなわち、図１中では、左から偶数番目の挿入部がない連結部材本体としてもよい。また、実施例１のパネル構造体は２枚のパネルを用い、実施例２のパネル構造体は３枚のパネルを用いたものを示したが、パネル構造体は４枚以上のパネルを用いたものでもよい。さらに、請求項２〜６では、各種の大きさのパネルを用いることができる。また、請求項３において、複数の開口部と複数の挿入部とは同数でもよいし、複数の開口部より複数の挿入部の数が少なくてもよい。
【符号の説明】
【００４５】
１  パネル
２  表，裏面部
３  縦リブ部
４  開口部
11  回転連結部材
12  連結部材本体
13  基部
14  挿入部
14Ｋ  空洞部
14Ａ  先端
15  連結筒部
16  連結軸
17  回動連結部
22  パネル構造体
【図１】
0003180934.tif 000003
【図２】
0003180934.tif 000004
【図３】
0003180934.tif 000005
【図４】
0003180934.tif 000006
【図５】
0003180934.tif 000007
【図６】
0003180934.tif 000008
【図７】
0003180934.tif 000009
【図８】
0003180934.tif 000010